(57)【要約】  【課題】低圧用機器の取換作業を実施するに際し、電路を遮断することなく、無停電状態で取換えることのできる低圧用機器の無停電取換用バイパス接続具において、軽量・コンパクト化が可能であり、接続箇所が少なく、接続時の作業性、信頼性を向上し得るとともに、作業時における安全性にも配慮した低圧用機器の無停電取換用バイパス接続具を提供する。  【解決手段】電源側と負荷側の接続電線に各１線ずつ接続する方式のバイパス接続具とし、バイパス端子を一端部に有する一対のバイパスケーブルの他端部にプラグインコネクターのピンプラグとソケットプラグを取り付け、バイパス端子において接続電線に接続した各バイパスケーブルをプラグインコネクターで接続してバイパス回路を構成するようにした。また、バイパスケーブルに沿ってスライド可能な円筒部とバイパス端子を絶縁する被覆部とを一体成形したスライド絶縁カバーを設け、接続時の安全性を図っている。【選択図】図１
2008193771.tif 000002
【特許請求の範囲】
【請求項１】
低圧用機器の電源側と負荷側の接続電線に各各接続可能なバイパス端子と、このバイパス端子間を導通し、低圧用機器を迂回して同相の電源側と負荷側を短絡接続するバイパスケーブルとを有する低圧用機器の無停電取換用バイパス接続具において、前記バイパス端子を一端部に有する一対のバイパスケーブルの他端部にプラグインコネクターのピンプラグとソケットプラグを取り付け、バイパス端子において接続電線に接続した各バイパスケーブルをプラグインコネクターで接続してバイパス回路を構成することを特徴とする低圧用機器の無停電取換用バイパス接続具。
【請求項２】
バイパス端子は、接続電線の絶縁被覆破壊手段を有する自己接続型のバイパス端子とした請求項１記載の低圧用機器の無停電取換用バイパス接続具。
【請求項３】
バイパスケーブルに沿ってスライド可能な円筒部とバイパス端子を絶縁する被覆部とを一体成形したスライド絶縁カバーを有する請求項１または２記載の低圧用機器の無停電取換用バイパス接続具。
【請求項４】
プラグインコネクターのピンプラグとソケットプラグを被覆する絶縁性キャップを有する請求項１、２又は３記載の低圧用機器の無停電取換用バイパス接続具。
【発明の詳細な説明】
【技術分野】
【０００１】
この発明は積算電力量計、ブレー力一等の低圧用機器の取換作業を実施するに際し、電路を遮断することなく、無停電状態で取換えることのできる低圧用機器の無停電取換用バイパス接続具に関するものである。
【背景技術】
【０００２】
昨今の電気機器に依存した生活様式においては、低圧用機器の取換作業において、負荷側に電力を供給しながら取換えるのではなく、停電状態を伴って行う場合にはコンピューターデータの消滅など、電力需要家に不測の損害を与える懸念がある。
そこでこれまでにも積算電力量計等の低圧用機器の取換に際し、電路の遮断を伴うことなく給電状態を維持したまま低圧用機器を取換えることのできる低圧用機器の無停電取換用バイパス接続具が提供されている。
【０００３】
たとえば、定格電流が３０Ａの積算電力量計（以下、３０Ａ計器という）取換用として図６及び特許文献１に示すようなバイパス接続具が使用されている。
３０Ａ計器の電源側と負荷側の接続電線に各々接続可能なバイパスケーブル１９が本体２０内部に設けられた開閉器２１を介して接続され、各バイパスケーブル１９の自由端にバイパス端子２２を接続可能としたバイパス接続具である。
３０Ａ計器取換時には、先ずバイパス端子２２を電源側と負荷側の接続電線に各々接続する。このバイパス端子２２は接続電線の絶縁被覆破壊手段を有する所謂自己接続型のバイパス端子である。次いで、各バイパスケーブル１９をバイパス端子２２に接続する。この接続はバイパスケーブル１９の端部に接続したバナナチップ端子をバイパス端子２２に設けた接続孔に嵌合することによって行われている。このようにして電源側と負荷側の接続電線に各々バイパスケーブル１９を接続した後、開閉器２１をＯＦＦ状態からＯＮ状態に切り換えればバイパス回路が構成される。本体２０には接続状態を確認するため電圧を検知すれば点灯するＬＥＤ、誤結線を検知して点灯するＬＥＤ及び警告音を発するブザーなどが備えられている。電気的接続箇所としては電源側と負荷側の接続電線で合計４箇所において接続することになる。
【特許文献１】実公平４-７５７２
【０００４】
図７は、同様な形式のバイパス接続具で、定格電流が１２０Ａの積算電力量計（以下、１２０Ａ計器という）取換用として使用されている。バイパスケーブル１９の線径が太くなり、開閉器２１の容量が大きくなるほか、バイパスケーブル１９にバイパス端子２２が一体的に取り付けられている点において上記バイパス接続具と相違している。電気的接続箇所としては電源側と負荷側の接続電線で合計２箇所において接続することになる。
【０００５】
上記バイパス接続具はいずれも、電源側と負荷側の接続電線に接続するためのバイパスケーブルが開閉器、表示器を内蔵した本体２０に接続されているため、接続具全体の重量が重くなり、大型化するため、バイパスケーブルの接続時に本体が邪魔となり作業性が悪い難点があり、運搬性・携帯性にも劣っていた。
また、電源側と負荷側の接続電線に、一度に全てのバイパス端子を取り付ける必要があり、接続電線が輻輳している箇所では作業性が悪いという難点がある。さらにまた、バイパス端子の充電部が露出しているため、作業中に不用意に触れて感電するなど安全性にも問題があった。また、本体内に電子部品が内蔵されているため、落下などの衝撃に弱いという難点もあった。また、開閉器がＯＮ状態において誤結線した場合、短絡事故が発生する難点もあった。
またさらに、３０Ａ計器取換用においてはバイパス端子を接続電線に接続し、その後バイパスケーブルと接続するため、電源側と負荷側の接続電線で合計４箇所の電気的接続箇所があり、作業工数が多い上、いずれかの接続箇所における不具合に起因する接続ミスが起き易くなる。
また、警告音を発するブザーを内蔵しているため、ブザー音を聞き取りやすくするために穴が必要であることから密閉が難しく、防水性能が低いため、降雨時には使用できないという難点もあった。
【０００６】
上記のように電源側と負荷側の接続電線に一括で接続する方式のバイパス接続具に換えて、電源側と負荷側の接続電線に各１線ずつ接続する方式のバイパス接続具も提供されている。
図８は、バイパス端子２２が両端に接続されたバイパスケーブル１９の中間部に限流ヒューズ２３を備えた形式のバイパス接続具であり、電流を検知して接続状態を確認する電流検知表示器２４を有している。自動的に検相ができないため、誤接続をした場合、バイパス端子を接続電線に接続した瞬間、異常電流が流れる可能性がある。異常電流が流れた場合、限流ヒューズが動作してバイパス回路を遮蔽できる構造になっているが、動作が確実で安全であるとは言い難い。また、限流ヒューズは電流が流れると表面温度が高温になるため、人体が触れる可能性がある箇所で使用する場合、取り扱いには十分な注意が必要となる。また、限流ヒューズが切れた場合、ヒューズの取換が必要となる。本例でもバイパス端子の充電部が露出しているため安全面で問題があった。
【０００７】
図９は、バイパス端子２２とバイパスケーブル１９が分離された形式で、電源側と負荷側の接続電線に各１線ずつ接続する方式のバイパス接続具を示している。この場合、バイパス端子を接続電線に接続し、その後、バイパスケーブルとバイパス端子を接続するため、電源側と負荷側の接続電線での接続回数が 4 回となり、作業工数が多く作業性が悪い上、いずれかの接続箇所における不具合に起因する接続ミスが起き易くなる。また、バイパス端子の充電部が露出しているので安全性に問題があった。
【発明の開示】
【発明が解決しようとする課題】
【０００８】
上記のような問題点に鑑み、本発明は軽量・コンパクト化が可能であり、接続箇所が少なく、接続時の作業性、信頼性を向上し得るとともに、作業時における安全性にも配慮した低圧用機器の無停電取換用バイパス接続具を提供することを目的としている。
【課題を解決するための手段】
【０００９】
上記目的を達成するため、本発明においては電源側と負荷側の接続電線に各１線ずつ接続する方式を採用するとともに、従来の電源側と負荷側の接続電線に各１線ずつ接続する方式のバイパス接続具の問題点を払拭したものである。
すなわち、本発明に係るバイパス接続具は、低圧用機器の電源側と負荷側の接続電線に各各接続可能なバイパス端子と、このバイパス端子間を導通し、低圧用機器を迂回して同相の電源側と負荷側を短絡接続するバイパスケーブルとを有する低圧用機器の無停電取換用バイパス接続具であって、前記バイパス端子を一端部に有する一対のバイパスケーブルの他端部にプラグインコネクターのピンプラグとソケットプラグを取り付け、バイパス端子において接続電線に接続した各バイパスケーブルをプラグインコネクターで接続してバイパス回路を構成するようにしたことを特徴とするものである。
【００１０】
上記バイパス端子としては、接続電線の絶縁被覆破壊手段を有する自己接続型のバイパス端子を採用している。
また、作業時の安全性を向上するため、バイパス端子を絶縁カバーで覆うようにしている。すなわち、バイパスケーブルに沿ってスライド可能な円筒部とバイパス端子を絶縁する被覆部とを一体成形したスライド絶縁カバーを設け、この絶縁カバーによって、充電部となるバイパス端子を覆うようにしている。さらにまた、プラグインコネクターのピンプラグとソケットプラグを被覆する絶縁性キャップを設けておけばより安全性が向上する。
【発明の効果】
【００１１】
上述の通り、本発明に係るバイパス接続具は、電源側と負荷側の接続電線に各１線ずつ接続する方式のバイパス接続具であって、従来の電源側と負荷側の接続電線に一括で接続する方式のバイパス接続具に比し軽量・コンパクト化が可能であり、バイパス端子とバイパスケーブルが予め接続されており、プラグインコネクターで電源側と負荷側を接続するものであるから、接続箇所は電源側と負荷側の接続電線で合計３箇所で、しかもプラグインコネクターによる接続方式を採用したので接続時の作業性、信頼性を向上し得たのである。
充電部となるバイパス端子をスライド絶縁カバーによって被覆しておけば、作業時の安全性を保つことができ、また、プラグインコネクターのピンプラグとソケットプラグを絶縁性キャップで被覆しておけばさらに安全性が向上する。
【発明を実施するための最良の形態】
【００１２】
以下本発明に係る低圧用機器の無停電取換用バイパス接続具の実施態様について説明する。
図１は本発明に係るバイパス接続具の一実施例を示す正面図で電源側と負荷側とを分離した状態を示す。図２は電源側と負荷側とを接続した状態を示す。
電源側及び負荷側のバイパスケーブル１、２のいずれも、一端部に低圧用機器の電源側及び負荷側の接続電線に接続可能なバイパス端子３、４を有している。このバイパス端子は略コの字型をした電線係止部５とこの電線係止部５に対して先端の先鋭部６が出没可能な可動ネジ端子７とによって構成され、電線係止部５に係止した接続電線に可動ネジ端子７をねじ込むことにより、接続電線の絶縁被覆を破壊して導電部と接触するようにした所謂自己接続型のバイパス端子としている。可動ネジ端子７には弛み止めナット８が取り付けられている。
【００１３】
バイパスケーブル１、２は接続端子を介してバイパス端子３、４の後端部にネジ止め接続され、バイパスケーブルの絶縁被覆部から接続部にかけて絶縁被覆で覆っている。バイパス端子３、４にも全体的に絶縁被覆が施されており、接続電線と可動ネジ端子７とバイパスケーブルの導電部は可動ネジ端子のネジ部分を介して電気的に接続されている。
上記一対のバイパスケーブル１、２の他端部にはプラグインコネクター９のピンプラグ１０とソケットプラグ１１が各々接続されている。バイパス回路を構成する場合、電源側と負荷側の接続電線にバイパス端子３、４を接続し、各バイパスケーブルをプラグインコネクター９で接続すればよい。
【００１４】
プラグインコネクター９の一例を図３から図５において示す。図３はプラグインコネクター９の非接続時の状態を示しており、図４はピンプラグ１０の分解状態、図５はソケットプラグ１１の分解状態を示す。
ピンプラグ１０は、後端部にバイパスケーブルの導電部を圧着接続する筒状部（図示せず）を有するピン部１２と、筒状部を覆うカバーＡと、カバーＡの螺合部ａに螺合されピン部１２を覆うカバーＢと、このカバーＢに遊嵌され、カバーＢの鍔部ｂで抜け方向への動きを阻止されるナットＣとによって構成されている。
ソケットプラグ１１は、後端部にバイパスケーブルの導電部を圧着接続する筒状部（図示せず）を有し、前記ピン部１２が嵌合するソケット部１３と、筒状部を覆うカバーＤと、カバーＤの螺合部ｄに螺合されソケット部１３を覆うカバーＥと、ソケット部１３の先端外周部を被覆するソケットキャップＦとによって構成されている。
【００１５】
従って、各バイパスケーブル１、２はピンプラグ１０のピン部１２をソケットプラグ１１のソケット部１３に嵌合することによって接続可能であり、接続後ピンプラグ１０のナットＣをソケットプラグ１１のカバーＥの前端部に形成した螺合部ｅに螺合することによってピン部１２とソケット部１３の分離を阻止し、接続状態が確実に保持されるようになっている。
なお、図１及び図２に示す通り、バイパスケーブル１、２に沿ってスライド可能な円筒部１４とバイパス端子３、４を絶縁する被覆部１５を一体成形したスライド絶縁カバー１６を設け、この絶縁カバーによって、充電部となるバイパス端子を覆うようにしている。また、ピンプラグ１０とソケットプラグ１１が非接続状態において両者を被覆する絶縁性キャップ１７、１８が紐で本体に連結されて設けられている。
【００１６】
このようなバイパス接続具によれば、低圧用機器を迂回して同相の電源側と負荷側を短絡接続する場合、電源側と負荷側の接続電線に一括で接続する方式のバイパス接続具のように開閉器や表示器を内蔵した本体がなく、プラグインコネクターの接続と開放によりバイパス回路の開閉ができるので、飛躍的に軽量・コンパクト化が可能となった。また、バイパス回路の構成時における電源側と負荷側の接続電線への接続箇所は、バイパス端子の２箇所とプラグインコネクターの１箇所の３箇所となるため、接続箇所が低減され作業性の向上も図ることができる。
【００１７】
また、接続作業時において邪魔な本体がなく、一線ずつバイパスケーブルを接続してプラグインコネクターによってバイパス回路を構成すればよいため、接続作業がやり易いという利点も有している。接続状態の確認、誤結線の有無の確認はピンプラグ１０とソケットプラグ１１において、それぞれ工事業者が手持ちの測定器を使用して相確認を行えばなんら問題はなく、一線ずつ安全で確実に検証することができる。 
【００１８】
また、バイパス端子の接続時においては、ピンプラグ１０とソケットプラグ１１を絶縁性キャップ１７、１８で被覆しておけば、安全性が向上する。
なお、バイパスケーブルの長さを長くすれば長距離バイパスが可能となるが、この場合においても端部のピンプラグとソケットプラグを接続してバイパス回路を構成するので、バイパス端子の接続状態によって生ずる捩れなどのケーブル癖を簡単に補整して接続できる。また、長距離バイパスを行う場合、別途ピンプラグとソケットプラグを両端部に設けた延長用ケーブルを用いることも可能となる。
なお、上記は実施態様の一例を示すもので、本発明の技術的思想の範囲内において種々の態様を採用し得ることはいうまでもない。
【図面の簡単な説明】
【００１９】
【図１】本発明に係るバイパス接続具の一実施例を示す正面図で電源側と負荷側とを分離した状態を示す。
【図２】電源側と負荷側とを接続した状態を示す。
【図３】プラグインコネクターの一例を示す正面図で、ピンプラグとソケットプラグの非接続状態で図示する。
【図４】ピンプラグの分解状態における正面図。
【図５】ソケットプラグの分解状態における正面図。
【図６】３０Ａ計器取換用として使用されていた従来のバイパス接続具の一例を示す正面図。
【図７】１２０Ａ計器取換用として使用されていた従来のバイパス接続具の一例を示す正面図。
【図８】電源側と負荷側の接続電線に各１線ずつ接続する方式の従来のバイパス接続具の一例を示す正面図。
【図９】電源側と負荷側の接続電線に各１線ずつ接続する方式の従来のバイパス接続具の他例を示す正面図で、バイパス端子を取り外した状態と接続した状態を示す。
【符号の説明】
【００２０】
１、２…  バイパスケーブル
３、４…  バイパス端子
９…  プラグインコネクター
１０…  ピンプラグ
１１…  ソケットプラグ
１４…  円筒部
１５…被覆部
１６…スライド絶縁カバー
１７、１８…絶縁性キャップ
【図１】
2008193771.tif 000003
【図２】
2008193771.tif 000004
【図３】
2008193771.tif 000005
【図４】
2008193771.tif 000006
【図５】
2008193771.tif 000007
【図６】
2008193771.tif 000008
【図７】
2008193771.tif 000009
【図８】
2008193771.tif 000010
【図９】
2008193771.tif 000011